(57)【要約】【課題】新規なシェードガイドを製造するための方法（１００）を提供する。【解決手段】まずシェードガイド（１０）の既知の色要素（１５）の色数値を近似した明度、色相、および彩度をもって判定する。次のステップにおいて、先に判定された色数値の明度数値および／または色相および／または彩度の色間距離（１６）を拡大することによって新規の色要素の色数値を決定する。【選択図】図１
2009028543.tif 000002
【特許請求の範囲】
【請求項１】
新規のシェードガイドを製造するための方法であり：
（ａ）  シェードガイド（１０）の既知の色要素（１５）の色数値を近似した明度、色相、および彩度をもって判定し；
（ｂ）  ステップ（ａ）で判定された色数値の明度数値および／または色相および／または彩度の色間距離（１６）を拡大することによって新規の色要素の色数値を決定する、
各ステップからなる方法。
【請求項２】
既知の色要素（１５）の明度、色相および彩度を分光検査によって測定することを特徴とする請求項１記載の方法。
【請求項３】
クロマスコープおよび／またはビタパンクラシックおよび／またはビタ３Ｄマスタのシェードガイド（１０）から近似する明度を有する色数値の判定を実施することを特徴とする請求項１または２記載の方法。
【請求項４】
新しい色数値のために同一あるいは異なった色付けである少なくとも１つのオペーク色および／または少なくとも１つの象牙質色を色入れすることを特徴とする請求項１ないし３のいずれかに記載の方法。
【請求項５】
既知の色要素（１５）を異なった明度を有するグループに分類し、その中において各明度グループの平均明度に対する既知の各色要素（１５）の明度の差が０．５ないし２．５、特に０．５ないし１．５となることを特徴とする請求項１ないし４のいずれかに記載の方法。
【請求項６】
各明度グループ内において既知の色要素（１５）を色グループに分類し、その中において各色グループの平均色および／または平均彩度に対する既知の各色要素（１５）の色および／または彩度の差が０．５ないし２、特に０．５ないし１となることを特徴とする請求項１ないし５のいずれかに記載の方法。
【請求項７】
色範囲内において新規の各色要素の色が各色グループ内の別の色と比較して近似した距離を有することを特徴とする請求項１ないし６のいずれかに記載の方法。
【請求項８】
人工歯の製造の基礎となる複数の個別色要素を有するシェードガイドであり、既知のシェードガイド（１０）の色数値をその明度および／または色相および／または彩度について判定し、そのように判定された色数値に基づいて明度値、色相、および彩度の色間距離（１６）を拡大しながら新規の色要素の色数値を決定することを特徴とするシェードガイド。
【請求項９】
新規のシェードガイドが５ないし９、特に７個の明度グループに分割されることを特徴とする請求項８記載のシェードガイド。
【請求項１０】
シェードガイドが各明度グループ内において少なくとも３つの異なった色要素を有していることを特徴とする請求項８または９記載のシェードガイド。
【請求項１１】
シェードガイドの基礎部材上に色要素が取り外し可能に固定されていることを特徴とする請求項８ないし１０のいずれかに記載のシェードガイド。
【請求項１２】
色要素が少なくとも部分的に歯科材料から形成されることを特徴とする請求項８ないし１１のいずれかに記載のシェードガイド。
【請求項１３】
各色要素がそれぞれラベルおよび／または標記を有していることを特徴とする請求項８ないし１２のいずれかに記載のシェードガイド。
【請求項１４】
請求項１ないし１３のいずれかに記載の方法に従った歯科材料の製造方法。
【発明の詳細な説明】
【技術分野】
【０００１】
この発明は、請求項１前段に記載のシェードガイドの個別色要素の製造方法ならびに請求項１２前段に記載のシェードガイド、特に複数の個別色要素を有するシェードガイドに関する。
【背景技術】
【０００２】
歯科補綴材の分野において人工歯の色形成が益々重要になっている。自然歯の多様な色相に応じて歯科補綴材の製造者および提供者にとって多数の可能な色を提供することが必要になっている。近年は患者の要求を満たすために２０種の異なった色からの色選択が最低条件となっている。
【０００３】
人工歯の色選択のための補助手段としていわゆるシェードガイドが使用可能である。その種のシェードガイドは複数の差し込み袋体を有する部材からなり、その中に複数の色選択ペンを挿入可能になっている。それらの色選択ペンはさらに一端上に設けられた色面を備えており、それらの色が特に人工歯のものに相当する。それらの色選択ペン（あるいは色ペン）はさらに差し込み袋体内に挿入可能なシャフトを備えている。
【０００４】
色選択ペンはいずれも歯科技工士あるいは歯科医師の要望に従って任意に組み合わせることができる。さらにシェードガイドをモジュールで構成することも知られている。そのため、所定の色相に近似する色群を共通の支持体上に統合してシェードガイド上に取り付ける。
【０００５】
歯科補綴材の分野においてはＶｉｔａ株式会社製のシェードガイド“ビタパンクラシック”および“ビタ３Ｄ−マスタ”も使用されている。それらのシェードガイドのいずれもが、それらの色相（赤、黄、茶、灰）の点に関して互いに異なっている複数の色グループを含んでいる。それらの色グループ内においてさらに色見本がその明度に関して異なったものとなる。
【０００６】
人工歯の色形成に使用される別のシェードガイドは“クロマスコープ”と称するものであり、２０種の異なった色見本を含んでいる。１６種の異なった色見本を有するシェードガイド“ビタパンクラシック”との組み合わせによって、中切歯、側切歯、臼歯等の人工歯を３６種の異なった色で製造することが可能になる。
【０００７】
しかしながら近年は“ビタ３Ｄ−マスタ”の色見本に従って人工歯を形成することが患者に要望される傾向がある。従って現状では米国の歯科医師の約２０％が“ビタ３Ｄ−マスタ”によって歯色を決定している。
【０００８】
しかしながらそれによって、既に存在しているシェードガイドに加えて新しいシェードガイドを使用しなければならない問題点が生じ、その結果“ビタ３Ｄ−マスタ”の色に相当する２６種の新しい色を開発および生産しなければならない。このことは６２種の異なった色の人工歯の製造ならびに貯蔵を意味し、それが無視できないシェードガイドのコストアップおよび煩雑化の原因となり得る。
【発明の開示】
【発明が解決しようとする課題】
【０００９】
前述した問題点のため、また冒頭に述べた種類の方法の従来の技術の評価の結果、本発明の目的は、前述したシェードガイドを使用する必要なく、またそれにもかかわらず別のシェードガイドのための別の多数の色を生成する必要もなく、前述した３つのシェードガイドを再現可能にする冒頭に述べた種類の方法を提供することである。
【課題を解決するための手段】
【００１０】
前記の課題は本発明に従って請求項１によって解決される。従属請求項には好適な追加構成が示されている。
【００１１】
本発明によれば、冒頭に述べた種類の方法は、シェードガイドの既知の色要素の色数値を近似する明度、色相および彩度によって測定することによって追加的に構成される。従って、新規の各色の色数値は先に測定された色数値の明度、色相、および彩度の色間距離を拡大することによって判定される。
【００１２】
本発明は、３つ全てのシェードガイドの色グループから実質的に同等である色を組み合わせ、また（前記の３つのシェードガイドの色数値の数に対して）色数値の数を削減するにもかかわらず少なくとも劣化はしない選択性を可能にするために最適な方式で近似を行うことが好適であるという理論に基づいたものである。意外なことに、明度、色相および彩度の色間距離の拡大、ならびにより小さな個別色要素の数が可能となり、それにもかかわらず選択性が向上し歯科技工士あるいは歯科医師の選択が容易になる。
【００１３】
個々のシェードガイド、すなわちシェードガイド“クロマスコープ”、“ビタパンクラシック”および“ビタ３Ｄ−マスタ”の色の近似性の正確なスキームを作成するために、分光検査によって明度、色相および彩度を測定する。
【００１４】
本発明の枠内において、測定した分光データを使用してまず明度（Ｌ＊）、色相（ａ＊またはｂ＊）、ならびに彩度（ｃ＊）において最も高い類似性を有するグループに歯を分類する。
【００１５】
色が近似している際、色間距離すなわちいわゆる無単位のデルタＥ値が０．７の単位未満である場合に殆ど識別不可能な色相異と言うことができる。デルタＥが１．５の数値までの違いであれば熟練した視覚でないと認識できない。ここで数値は無次元の単位で表示される。しかしながら、明度、色相、彩度、ならびに色間距離の単位としては既知の全ての単位を使用することができる。
【００１６】
デルタＥ値が上記の範囲にありまた視覚的な比較でも同等な場合、それらの極めて近似した色を１つの色に統合することができる。
【００１７】
そのことは以下の例によってさらに明確になる：
【００１８】
【表１】
2009028543.tif 000003
【００１９】
ＤＬ＝デルタＬ＊値、色１のＬ＊値と統合色のＬ＊値の間の差
Ｄａ＝デルタａ＊値、色１のａ＊値と統合色のａ＊値の間の差
Ｄｂ＝デルタｂ＊値、色１のｂ＊値と統合色のｂ＊値の間の差
Ｄｅ＝デルタＥ値、デルタＬ＊  ａ＊  ｂ＊の合計である。
【００２０】
この方式によって品質低下を伴わずに１つの新しい色が３つ全ての色を代替することができる。視覚的にも色相異を認識することは殆ど不可能である。
【００２１】
より大きな色相異の場合は以下のようになる：
色は彩度に基づいて並べられており；すなわち彩度の低い色が最上にあり、より高い彩度の色が続いている。
【００２２】
【表２】
2009028543.tif 000004
【００２３】
色１についてオペーク（Ａ）および象牙質（Ａ）をそれぞれ着色し、幾らか濃いものである色２については独自のオペーク（Ｂ）と色１の象牙質（Ａ）を使用する。色２に対しての正確な色相はオペークを介して調節する。従って色３については色２に対するものと同じオペーク（Ｂ）を使用し、より高い彩度は独自の象牙質（Ｂ）によって達成される。この順序をさらに任意に多く繰り返すことができる。
【００２４】
本発明はさらに、人工歯の製造のための基礎となる複数の個別色要素を有するシェードガイドに係る。そのため既知の色システムあるいはシェードガイドの色数値をその明度および／または色相および／または彩度に関して判定し、そのように判定された色数値に基づいて明度、色相、および彩度の色間距離を拡大するために新規の各個別色要素の色数値を決定する。
【００２５】
別の好適な構成形態によれば、既知の色要素の明度、色相および彩度を分光検査によって測定する。
【００２６】
別の好適な構成形態によれば、クロマスコープおよび／またはビタパンクラシックおよび／またはビタ３Ｄマスタのシェードガイドから近似する明度を有する色数値の検出を実施する。
【００２７】
別の好適な構成形態によれば、新しい色数値のために同一あるいは異なった色付けである少なくとも１つのオペーク色および／または少なくとも１つの象牙質色を色入れする。
【００２８】
別の好適な構成形態によれば、既知の色要素を異なった明度を有するグループに分類し、その中において各明度グループの平均明度に対する既知の各色要素の明度の差が０．５ないし２．５、特に０．５ないし１．５となる。
【００２９】
別の好適な構成形態によれば、各明度グループ内において既知の色要素を色グループに分類し、その中において各色グループの平均色および／または平均彩度に対する既知の各色要素の色および／または彩度の差が０．５ないし２、特に０．５ないし１となる。
【００３０】
別の好適な構成形態によれば、色範囲内において新規の各色要素の色が各色グループ内の別の色と比較して近似した距離を有する。
【００３１】
別の好適な構成形態によれば、新規のシェードガイドが５ないし９、特に７個の明度グループに分割される。
【００３２】
別の好適な構成形態によれば、シェードガイドが各明度グループ内において少なくとも３つの異なった色要素を有している。
【００３３】
別の好適な構成形態によれば、シェードガイドの基礎部材上に色要素が取り外し可能に固定されている。
【００３４】
別の好適な構成形態によれば、色要素が少なくとも部分的に歯科材料から形成される。
【００３５】
別の好適な構成形態によれば、各色要素がそれぞれラベルおよび／または標記を有している。
【００３６】
本発明のその他の詳細、特徴、ならびに種々の利点は、添付図面を参照しながら以下に記述する実施例の説明によって理解される。
【発明を実施するための最良の形態】
【００３７】
図１に概略的に示された方法１００はシェードガイドの個別色要素を製造するためのものである。
【００３８】
この方法１００は、既知のシェードガイド１０の色要素１５の色数値を近似する明度、色相、および彩度をもって判定することから開始する。シェードガイド１０は、“クロマスコープ”、“ビタパンクラシック”および“ビタ３Ｄマスタ”のシェードガイドである。
【００３９】
個々のシェードガイド１０の色要素１５の色数値の近似性の外観を相互に得るために、放射源１８と色１４の色数値を有する試料１２と検出器１３を備えることができ、そのために適したものである分光計１１をもって明度、色相、ならびに彩度を測定する。
【００４０】
そのデータを使用してまず明度（Ｌ＊）、色相（ａ＊またはｂ＊）、ならびに彩度（ｃ＊）について最も高い近似性を有した歯をグループ１７に分類する。
【００４１】
次の工程において、各個別の色要素１５の色数値を明度、色相、および彩度の色間距離１６を拡大することによって判定する。この場合色間距離１６の拡大とは色要素の数がより少なくなることを意味する。
【００４２】
本発明の枠内において、色間距離１６が０．７の単位未満である場合は殆ど認識不可能な色相異であるとされ、ここでこの無次元の単位に代えて既知の単位を使用することもできる。色間距離１６が１．５となる数値までの違いがあっても、熟練した視覚でなければ認識不可能である。
【００４３】
本発明に係る方法の枠内において色差の数値が上記の範囲であれば、極めて近似した色として１つの色に統合することができる。
【００４４】
１．０ないし２．０の単位の色間距離１６が判定される。明度数値および彩度は最大で１．５の単位までの相違となり、一方色相は最大１．０の単位の相違となる。
【図面の簡単な説明】
【００４５】
【図１】本発明に係る方法を示した概略説明図である。
【符号の説明】
【００４６】
１０  シェードガイド
１１  分光計
１２  試料
１３  検出器
１４  色
１５  色要素
１６  色間距離
１７  グループ
１８  放射源
【図１】
2009028543.tif 000005